(57)【特許請求の範囲】
【請求項１】
インペラを収容するとともに、インペラに向けて空気を吸入する吸入口及びインペラの外周側に略環状をなすスクロール通路を備えるコンプレッサハウジングにおいて、
インペラの軸方向において前記吸入口に近接する側を先端側とし、前記吸入口から離間する側を基端側とするとき、
前記吸入口を形成する筒状の吸入部、スクロール通路の先端側の壁面を形成する先端側スクロール壁部、及び先端側スクロール壁部から基端側に延びるとともにスクロール通路の外周側を覆う外周側壁部を有するスクロール部材と、
スクロール部材の前記吸入部の内周面に嵌合される嵌合部、並びにスクロール通路の内周側の壁面、インペラに対向するシュラウド面、及びシュラウド面からスクロール通路に向けて延びるディフューザ面が形成されたシュラウド部を有するシュラウド部材と、
スクロール部材の前記外周側壁部の内周面に嵌合される内周壁部及びスクロール通路の外周側の壁面を形成する外周側スクロール壁部を有する環状部材と、を各別に備え、
スクロール部材にはインペラの周方向においてシュラウド部材が当接して位置決めされる第１位置決め部と環状部材が当接して位置決めされる第２位置決め部とが同周方向における同一の位置に形成されていることを特徴とするコンプレッサハウジング。
【請求項２】
請求項１に記載のコンプレッサハウジングにおいて、
スクロール通路は周方向において上流側ほど通路断面積が小さくされ、
前記第１位置決め部及び第２位置決め部は前記スクロール通路において通路断面積が最も小さくされた上流側端部に形成されている
ことを特徴とするコンプレッサハウジング。
【請求項３】
請求項２に記載のコンプレッサハウジングにおいて、
スクロール部材の本体にはスクロール通路の下流側端部に接続されて空気を排出する筒状の排出部が一体に形成され、
前記スクロール通路の上流側端部は、スクロール部材の本体に対して前記排出部が接続される接続部とインペラの周方向において同一の位置に形成されている
ことを特徴とするコンプレッサハウジング。
【発明の詳細な説明】
【技術分野】
【０００１】
本発明は、例えば排気タービン過給機の遠心コンプレッサに用いられるコンプレッサハウジングに関する。
【背景技術】
【０００２】
この種のコンプレッサハウジングとしては、例えば特許文献１に記載のコンプレッサハウジングがある。特許文献１に記載のコンプレッサハウジングは、インペラを収容するとともに、インペラに向けて空気を吸入する吸入口及びインペラの外周側に略環状をなすスクロール通路を備えている。具体的には、コンプレッサハウジングは、スクロール部材、シュラウド部材、及び環状部材を各別に備えている。
【０００３】
以下、インペラの軸方向において上記吸入口に近接する側を先端側とし、同吸入口から離間する側を基端側として説明する。
スクロール部材は、上記吸入口を形成する筒状の吸入部、スクロール通路の先端側の壁面を形成する先端側スクロール壁部、及び先端側スクロール壁部から基端側に延びるとともにスクロール通路の外周側を覆う外周側壁部を有している。
【０００４】
シュラウド部材は、スクロール部材の吸入部の内周面に嵌合される嵌合部、及びシュラウド部を有している。ここで、シュラウド部には、スクロール通路の内周側の壁面、インペラに対向するシュラウド面、及びシュラウド面からスクロール通路に向けて延びるディフューザ面が形成されている。
【０００５】
環状部材は、スクロール部材の外周側壁部の内周面に嵌合される内周壁部、及びスクロール通路の外周側の壁面を形成する外周側スクロール壁部を有している。
ちなみに、スクロール部材はダイカストによって形成されている。また、シュラウド部材と環状部材とはダイカストによって一体形成され、スクロール部材に組み付けられた後に切断することによって形成されている。
【０００６】
スクロール通路は周方向において上流側ほど通路断面積が小さくされている。
また、スクロール部材の本体にはスクロール通路の下流側端部に接続されて空気を排出する筒状の排出部が一体に形成されている。
【０００７】
ここで、スクロール部材と、シュラウド部材及び環状部材とにはインペラの軸方向において互いに当接する当接部が形成されており、これらの部位が当接することを通じて、スクロール部材に対して、上記軸方向においてシュラウド部材及び環状部材が位置決めされる。
【０００８】
ところで、スクロール部材に対して、インペラの周方向においてもシュラウド部材及び環状部材の位置決めを行なう必要がある。ただし、特許文献１には上記周方向における位置決めに関する開示がなされていない。
【０００９】
ちなみに、特許文献２の図３には、シュラウド部材に対応する部位と環状部材に対応する部位とが一体とされた構造が開示されている。環状部材に対応する部位において、排出部の軸線と、スクロール通路の軸線との接点とインペラの軸線とを含む平面上にスクロール部材の上記周方向における位置決めを行なう部位が形成されている。
【００１０】
また従来、スクロール部材においてシュラウド部材との上記周方向における位置決め部は、スクロール通路の上流側端部、すなわち、スクロール通路において通路断面積が最も小さい部位に形成されている。
【先行技術文献】
【特許文献】
【００１１】
【特許文献１】特開２０１１―２３１６２０号公報
【特許文献２】米国特許第７１７９０５１号明細書
【発明の概要】
【発明が解決しようとする課題】
【００１２】
ところで、従来のコンプレッサハウジングでは、スクロール部材に対してインペラの周方向において、シュラウド部材の位置決めを行なうための位置決め部と、環状部材の位置決めを行なうための位置決め部とが同周方向において異なる位置に形成されている。そのため、スクロール部材に対してシュラウド部材及び環状部材を組み付ける際、作業者は上記周方向における位置決めを行なう際に異なる位置の位置決め部に対してそれぞれ注意をする必要が生じる。その結果、当該組み付け作業が困難なものとなっている。
【００１３】
本発明は、こうした実情に鑑みてなされたものであり、その目的は、スクロール部材に対してシュラウド部材及び環状部材を組み付ける作業を容易且つ的確に行なうことのできるコンプレッサハウジングを提供することにある。
【課題を解決するための手段】
【００１４】
以下、上記課題を解決するための手段及びその作用効果について記載する。
（１）請求項１に記載の発明は、インペラを収容するとともに、インペラに向けて空気を吸入する吸入口及びインペラの外周側に略環状をなすスクロール通路を備えるコンプレッサハウジングにおいて、インペラの軸方向において前記吸入口に近接する側を先端側とし、前記吸入口から離間する側を基端側とするとき、前記吸入口を形成する筒状の吸入部、スクロール通路の先端側の壁面を形成する先端側スクロール壁部、及び先端側スクロール壁部から基端側に延びるとともにスクロール通路の外周側を覆う外周側壁部を有するスクロール部材と、スクロール部材の前記吸入部の内周面に嵌合される嵌合部、並びにスクロール通路の内周側の壁面、インペラに対向するシュラウド面、及びシュラウド面からスクロール通路に向けて延びるディフューザ面が形成されたシュラウド部を有するシュラウド部材と、スクロール部材の前記外周側壁部の内周面に嵌合される内周壁部及びスクロール通路の外周側の壁面を形成する外周側スクロール壁部を有する環状部材と、を各別に備え、スクロール部材にはインペラの周方向においてシュラウド部材が当接して位置決めされる第１位置決め部と環状部材が当接して位置決めされる第２位置決め部とが同周方向における同一の位置に形成されていることをその要旨としている。
【００１５】
同構成によれば、スクロール部材に対してシュラウド部材の周方向における位置決めを行なうための第１位置決め部と、スクロール部材に対して環状部材の周方向における位置決めを行なうための第２位置決め部とがインペラの周方向における同一の位置に形成されている。すなわち、第１位置決め部と第２位置決め部とがインペラの軸線を含む同一平面上に形成されている。このため、第１位置決め部と第２位置決め部とがインペラの周方向において互いに異なる位置に形成されている構成とは異なり、シュラウド部材及び環状部材の周方向における位置決めを共通の位置で行なうことで足りる。したがって、スクロール部材に対してシュラウド部材及び環状部材を組み付ける作業を容易且つ的確に行なうことができるようになる。
【００１６】
特に、シュラウド部材と環状部材とが一体とされたものをスクロール部材に対して組み付けた後に、これらシュラウド部材と環状部材とを切断する作業を通じてコンプレッサハウジングが製造されるものにあっては、組み付けの作業性を好適に向上させることができるようになる。
【００１７】
（２）請求項２に記載の発明は、請求項１に記載のコンプレッサハウジングにおいて、スクロール通路は周方向において上流側ほど通路断面積が小さくされ、前記第１位置決め部及び第２位置決め部は前記スクロール通路において通路断面積が最も小さくされた上流側端部に形成されていることをその要旨としている。
【００１８】
第１位置決め部及び第２位置決め部ではスクロール部材とシュラウド部材或いは環状部材とが当接することから、これら部材間に段差が生じやすい。そのため、こうした段差がスクロール通路の途中に形成されると、スクロール通路を流れる空気に対して流路抵抗となり、コンプレッサの性能を好適に向上させることができない。
【００１９】
この点、上記構成によれば、第１位置決め部及び第２位置決め部はスクロール通路の上流側端部に形成されている。すなわち、各位置決め部によって生じる段差が流路抵抗の増大に与える影響が最も小さい位置に各位置決め部が形成されている。したがって、各位置決め部により生じる段差に起因してスクロール通路内の流路抵抗が増大することを好適に抑制することができるようになる。
【００２０】
（３）請求項３に記載の発明は、請求項２に記載のコンプレッサハウジングにおいて、スクロール部材の本体にはスクロール通路の下流側端部に接続されて空気を排出する筒状の排出部が一体に形成され、前記スクロール通路の上流側端部は、スクロール部材の本体に対して前記排出部が接続される接続部とインペラの周方向において同一の位置に形成されていることをその要旨としている。
【００２１】
同構成によれば、周方向におけるスクロール通路の長さを最も大きくすることができる。したがって、各位置決め部により生じる段差に起因してスクロール通路内の流路抵抗が増大することを一層好適に抑制することができるようになる。
【図面の簡単な説明】
【００２２】
【図１】本発明に係るコンプレッサハウジングの一実施形態について、同コンプレッサハウジングを備える遠心コンプレッサの断面構造を示す断面図。
【図２】同実施形態のコンプレッサハウジングを構成するスクロール部材のベアリングハウジング側から視た平面構造を示す平面図。
【図３】同実施形態のスクロール部材の斜視構造を示す斜視図。
【図４】図２のＡ−Ａ線に沿った斜視片側断面構造を示す斜視片側断面図。
【図５】同実施形態のコンプレッサハウジングを構成するシュラウド部材の斜視構造を示す斜視図。
【図６】同実施形態のシュラウド部材について、コンプレッサハウジングの吸入口側から視た平面構造を示す平面図。
【図７】図６のＢ−Ｂ線に沿った斜視片側断面構造を示す斜視片側断面図。
【図８】同実施形態のコンプレッサハウジングを構成する環状部材の斜視構造を示す斜視図。
【図９】同実施形態の環状部材について、コンプレッサハウジングの吸入口側から視たい平面構造を示す平面図。
【図１０】図９のＣ−Ｃ線に沿った斜視片側断面構造を示す斜視片側断面図。
【図１１】（ａ）は同実施形態のスクロール部材の斜視構造を示す斜視図、（ｂ）は同実施形態のシュラウド部材及び環状部材の斜視構造を併せ示す斜視図。
【図１２】（ａ）は比較例のスクロール部材の斜視構造を示す斜視図、（ｂ）は比較例のシュラウド部材及び環状部材の斜視構造を併せ示す斜視図。
【発明を実施するための形態】
【００２３】
以下、図１〜図１２を参照して、本発明に係るコンプレッサハウジングを、排気タービン過給機を構成する遠心コンプレッサのコンプレッサハウジングとして具体化した一実施形態について説明する。
【００２４】
尚、以降において、インペラ８の軸方向において吸入口２２に近接する側（図１において左側）を「先端側」と称し、吸入口２２から離間する側（図１において右側）を「基端側」と称する。また、インペラ８の軸方向、インペラ８の径方向、及びインペラ８の周方向をそれぞれ単に、「軸方向」、「径方向」、「周方向」と称する。
【００２５】
図１に示すように、インペラ８はハブ８１と、ハブ８１から外周側に延びる複数のブレード８２とを有している。ハブ８１の中心孔にはシャフト９の先端部が嵌合されている。シャフト９はベアリングハウジング１００内のベアリングによって回転可能に支持されている。尚、シャフト９の基端部にはタービンホイールが連結される。
【００２６】
コンプレッサハウジング１は、インペラ８を収容するとともにインペラ８の外周側に略環状をなすスクロール通路１２を備えるものであり、スクロール部材２、シュラウド部材４、及び環状部材６を各別に備えている。
【００２７】
スクロール部材２は大きくは本体２０と本体２０に接続される排出部３５とからなっている。尚、排出部３５については後に詳述する。
本体２０は、筒状の吸入部２１、同吸入部２１の基端部から外周側に延びるとともにスクロール通路１２の先端側の壁面を形成する先端側スクロール壁部２５、及び先端側スクロール壁部２５の外周側端部から基端側に延びるとともにスクロール通路１２の外周側を覆う外周側壁部２７を有している。
【００２８】
吸入部２１の基端側の開口がインペラ８に向けて空気を吸入する吸入口２２として機能する。吸入部２１の内周面２３には全周にわたって係止突部２４が突設されている。
先端側スクロール壁部２５の内周面２６は断面略半円弧状をなしている。
【００２９】
シュラウド部材４は、全体として略筒状をなしており、嵌合部４１及びシュラウド部４３を有している。
嵌合部４１は筒状をなしており、その外周面がスクロール部材２の吸入部２１の内周面２３に圧入して嵌合されている。嵌合部４１の先端面４２は吸入部２１の係止突部２４に当接している。これら先端面４２と係止突部２４とが互いに当接することを通じてスクロール部材２に対して、軸方向においてシュラウド部材４の位置決めが行なわれている。
【００３０】
シュラウド部４３は嵌合部４１の基端部から基端側に延びている。シュラウド部４３の外周面には、スクロール通路１２の内周側の壁面である内周側スクロール壁面４４が形成されている。また、シュラウド部４３の内周面にはインペラ８に対向するシュラウド面４５が形成されている。また、シュラウド部４３の基端側には、シュラウド面４５からスクロール通路１２に向けて径方向に沿って延びるディフューザ面４６が形成されている。内周側スクロール壁面４４は断面略四半円弧状をなしている。
【００３１】
また、シュラウド部４３の先端面４８は、先端側スクロール壁部２５の内周側の基端面（以下、内周側基端面２５ａ）に軸方向において対向している。
環状部材６は、全体として環状をなしており、その外周面を構成する内周壁部６１及びその内周面を構成する外周側スクロール壁部６３を有している。
【００３２】
内周壁部６１は、スクロール部材２の外周側壁部２７の内周面に圧入して嵌合されている。
外周側スクロール壁部６３は、スクロール通路１２の外周側の壁面を形成している。外周側スクロール壁部６３の内周面は断面四半円弧状をなしている。
【００３３】
また、環状部材６の先端面６８は、先端側スクロール壁部２５の外周側の基端面（以下、外周側基端面２５ｂ）に軸方向において対向している。
尚、スクロール部材２、シュラウド部材４、及び環状部材６はそれぞれダイカストによって形成されている。
【００３４】
次に、図２〜図４を参照して、スクロール部材２の構造について更に詳細に説明する。
図２〜図４に併せ示すように、スクロール通路１２の先端側の壁面をなす先端側スクロール壁部２５の内周面２６は、周方向において下流側ほど通路断面積が大きくされている。すなわち、図２における３時位置がスクロール通路１２の上流側端部とされ、スクロール通路１２内を反時計回り方向前方に向けて通路断面積が徐々に大きくされている。図２における４時位置から３時位置までがスクロール通路１２の下流側端部とされている。
【００３５】
また、図３に示すように、スクロール通路１２は、その通路断面の中心が下流側に向けて徐々に先端側に位置するように螺旋状に形成されている。
また、スクロール部材２の本体２０においてスクロール通路１２の下流側端部には、外部に向けて延びる筒状の排出部３５が接続されている。具体的には、排出部３５は、その軸線がスクロール通路１２の略円状をなす軸線に対して接線となるように形成されている。
【００３６】
ここで、先端側スクロール壁部２５の内周側基端面２５ａ及び外周側基端面２５ｂにおいてスクロール通路１２の上流側端部と下流側端部との境界には、軸方向に段差をなす段差部３０が形成される。
【００３７】
この段差部３０の周方向における端面において内周側基端面２５ａに対応する面、すなわちスクロール通路１２よりも内周側の面がシュラウド部材４が当接することで位置決めされる第１位置決め部３１である。
【００３８】
また、この段差部３０の周方向における端面において外周側基端面２５ｂに対応する面、すなわちスクロール通路１２よりも外周側の面が環状部材６が当接することで位置決めされる第２位置決め部３２である。
【００３９】
すなわち、スクロール部材２には第１位置決め部３１と第２位置決め部３２とが周方向における同一の位置に形成されている。スクロール通路１２の上流側端部は、スクロール部材２の本体２０に対して排出部３５が接続される接続部とインペラ８の周方向において同一の位置に形成されている。
【００４０】
次に、図５〜図７を参照して、シュラウド部材４の構造について更に詳細に説明する。
図５〜図７に併せ示すように、内周側スクロール壁面４４は、スクロール通路１２の基端側の内周面をなしており、基本的には周方向において下流側ほど径方向の幅が大きくされている。すなわち、図６における３時位置がスクロール通路１２の上流側端部とされ、スクロール通路１２内を時計回り方向前方に向けて内周側スクロール壁面４４の径方向の幅が大きくされている。また、図６における２時位置から３時位置までがスクロール通路１２の下流側端部とされている。
【００４１】
ただし、内周側スクロール壁面４４の径方向の幅は１時位置から３時位置に向けて徐々に小さくされている。また、シュラウド部材４の先端面４８は、軸方向における位置がスクロール通路１２の下流側に向けて徐々に先端側に位置するように螺旋状に形成されている。これらのことから、先端面４８においてスクロール通路１２の上流側端部の部位と下流側端部の部位との境界には、軸方向に段差をなす周方向当接面４７が形成される。
【００４２】
次に、図８〜図１０を参照して、環状部材６の構造について更に詳細に説明する。
図８〜図１０に併せ示すように、外周側スクロール壁部６３は、スクロール通路１２の基端側の外周面をなしており、基本的には周方向において下流側ほど径方向の幅が大きくされている。すなわち、図９における３時位置がスクロール通路１２の上流側端部とされ、スクロール通路１２内を時計回り方向前方に向けて外周側スクロール壁部６３の径方向の幅が大きくされている。
【００４３】
ここで、環状部材６の先端面６８の径方向の幅はスクロール通路１２の下流側に向けて徐々に小さくされている。また、先端面６８はスクロール通路１２の上流側端部において最も先端側に位置している。また、先端面６８における上流側端部の部位に対して周方向において隣接する外周側スクロール壁部６３は、当該部位よりも基端側に位置している。これらのことから、先端面６８においてスクロール通路１２の上流側端部の部位と周方向において当該部位に隣接する外周側スクロール壁部６３との境界には軸方向に段差をなす周方向当接面６７が形成される。
【００４４】
次に、図１１及び図１２を参照して、本実施形態の作用について説明する。
図１１（ａ）に示すように、スクロール部材２に対してシュラウド部材４の周方向における位置決めを行なうための第１位置決め部３１と、スクロール部材２に対して環状部材６の周方向における位置決めを行なうための第２位置決め部３２とが周方向における同一の位置に形成されている。すなわち、第１位置決め部３１と第２位置決め部３２とがインペラ８の軸線を含む同一平面上に形成されている。
【００４５】
また、スクロール部材２に対してシュラウド部材４及び環状部材６を組み付けて位置決めが行なわれると、図１１（ｂ）に示すように、シュラウド部材４の周方向当接面４７と環状部材６の周方向当接面６７とが周方向において同一の位置とされる。このとき、シュラウド部材４の周方向当接面４７が第１位置決め部３１に当接するとともに、環状部材６の周方向当接面６７が第２位置決め部３２に当接している。
【００４６】
本実施形態のコンプレッサハウジング１によれば、図１２（ａ），（ｂ）に示す比較例のように第１位置決め部１３１と第２位置決め部１３２とが周方向において互いに異なる位置に形成されている構成とは異なり、シュラウド部材４及び環状部材６の周方向における位置決めを共通の位置で行なうことで足りる。
【００４７】
尚、本実施形態では、周方向における各位置決め部３１，３２の位置が比較例とは異なる位置とされているが、スクロール通路１２の下流端部と排出部３５との接続部の形状は、図１１（ｂ）に一点鎖線にて示すように、環状部材６において周方向当接面６７を含んで周方向に延びる部位により、排出部３５の延びる方向に沿った滑らかな円弧状となる。すなわち、本実施形態の環状部材６は、比較例のスクロール部材１０２において第２位置決め部１３２を含んで周方向に延びる部位（図１２（ａ）に一点鎖線にて示す部位）の機能を有している。
【００４８】
また、スクロール通路１２の上流側端部が、スクロール部材２の本体２０に対して排出部３５が接続される接続部とインペラ８の周方向において同一の位置に形成されている。このため、周方向におけるスクロール通路１２の長さを最大化することができる。
【００４９】
ところで、第１位置決め部３１及び第２位置決め部３２ではスクロール部材２とシュラウド部材４或いは環状部材６とが当接することから、これら部材間に段差が生じやすい。そのため、こうした段差がスクロール通路の途中に形成されていると、スクロール通路を流れる空気に対して流路抵抗となり、コンプレッサの性能を好適に向上させることができない。
【００５０】
この点、本実施形態によれば、第１位置決め部３１及び第２位置決め部３２はスクロール通路１２の上流側端部に形成されている。すなわち、各位置決め部３１，３２によって生じる段差が流路抵抗の増大に与える影響が最も小さい位置に各位置決め部３１，３２が形成されている。
【００５１】
ちなみに、比較例では、図１２（ａ）に示すように、スクロール部材１０２における第２位置決め部１３２が第１位置決め部１３１よりも周方向に突出した形状とされている。そのため、当該突出している部位（以下、鋭角部１３８）が薄肉且つ鋭角な形状となる。したがって、鋳造にてスクロール部材１０２を形成する場合には、鋳型において鋭角部１３８に対応するキャビティに対して溶湯が充填されにくく、所謂湯回り不良が生じやすいといった問題が生じる。
【００５２】
この点、本実施形態によれば、スクロール通路１２の上流側端部には上述したような鋭角部が生じないため、湯周り不良の発生を的確に抑制することができるようになる。
以上説明した本実施形態に係るコンプレッサハウジングによれば、以下に示す効果が得られるようになる。
【００５３】
（１）コンプレッサハウジング１は、インペラ８を収容するとともに、インペラ８に向けて空気を吸入する吸入口２２及びインペラ８の外周側に略環状をなすスクロール通路１２を備えている。コンプレッサハウジング１は、スクロール部材２、シュラウド部材４、及び環状部材６を各別に備えている。スクロール部材２は、吸入口２２を形成する管状の吸入部２１、スクロール通路１２の先端側の壁面を形成する先端側スクロール壁部２５、及び先端側スクロール壁部２５から基端側に延びるとともにスクロール通路１２の外周側を覆う外周側壁部２７を有している。シュラウド部材４は、スクロール部材２の吸入部２１の内周面２３に嵌合される嵌合部４１、並びにスクロール通路１２の内周側の壁面である内周側スクロール壁面４４、インペラ８に対向するシュラウド面４５、及びシュラウド面４５からスクロール通路１２に向けて延びるディフューザ面４６が形成されたシュラウド部４３を有している。環状部材６は、スクロール部材２の外周側壁部２７の内周面に嵌合される内周壁部６１及びスクロール通路１２の外周側の壁面を形成する外周側スクロール壁部６３を有している。また、スクロール部材２にはインペラ８の周方向においてシュラウド部材４が当接して位置決めされる第１位置決め部３１と環状部材６が当接して位置決めされる第２位置決め部３２とが同周方向における同一の位置に形成されている。こうした構成によれば、スクロール部材２に対してシュラウド部材４及び環状部材６を組み付ける作業を容易且つ的確に行なうことができるようになる。
【００５４】
（２）スクロール通路１２は周方向において上流側ほど通路断面積が小さくされている。スクロール部材２の本体２０にはスクロール通路１２の下流側端部に接続されて空気を排出する筒状の排出部３５が一体に形成されている。また、第１位置決め部３１及び第２位置決め部３２はスクロール通路１２において通路断面積が最も小さくされた上流側端部に形成されている。具体的には、スクロール通路１２の上流側端部が、スクロール部材２の本体２０に対して排出部３５が接続される接続部とインペラ８の周方向において同一の位置に形成されている。こうした構成によれば、各位置決め部３１，３２により生じる段差に起因してスクロール通路１２内の流路抵抗が増大することを好適に抑制することができるようになる。
【００５５】
尚、本発明に係るコンプレッサハウジングは、上記実施形態にて例示した構成に限定されるものではなく、これを適宜変更した例えば次のような形態として実施することもできる。
【００５６】
・上記実施形態では、シュラウド部材４及び環状部材６が各別にダイカストによって形成された後に、スクロール部材２に対して組み付けられるものについて例示した。これに代えて、特許文献１に記載のコンプレッサハウジングと同様に、シュラウド部材と環状部材とが一体に形成されるものとし、これらが一体とされたものをスクロール部材に対して組み付けた後に、シュラウド部材と環状部材とに切断されるものであってもよい。この場合においても、上記実施形態と同様に、組み付けの作業性を好適に向上させることができるようになる。
【００５７】
・上記実施形態では、スクロール通路１２の上流側端部が、スクロール部材２の本体と排出部３５との接続部と周方向における同一の位置に形成されるものとした。このようにスクロール通路１２の上流側端部を設定することが、周方向におけるスクロール通路１２の長さを最大化する上では望ましい。しかしながら、本発明はこれに限られるものではなく、例えば図２において、スクロール通路の上流側端部を２時位置とするといったように、周方向において上記接続部とは異なる位置に形成することもできる。
【００５８】
・上記実施形態のように、各位置決め部３１，３２をスクロール通路１２において通路断面積が最も小さくされた上流側端部に形成するようにすれば、各位置決め部３１，３２により生じる段差に起因してスクロール通路１２内の流路抵抗の増大を抑制する上では望ましい。しかしながら、本発明はこれに限られるものではなく、こうした流路抵抗の増大が無視できる場合には、スクロール通路の途中に各位置決め部を形成することもできる。
【符号の説明】
【００５９】
１…コンプレッサハウジング、１２，１１２…スクロール通路、２，１０２…スクロール部材、２０…本体、２１…吸入部、２２…吸入口、２３…内周面、２４…係止突部、２５…先端側スクロール壁部、２５ａ，１２５ａ…内周側基端面、２５ｂ，１２５ｂ…外周側基端面、２６…内周面、２７…外周側壁部、３０…段差部、３１，１３１…第１位置決め部、３２，１３２…第２位置決め部、３５，１３５…排出部、４，１０４…シュラウド部材、４１…嵌合部、４２…先端面、４３…シュラウド部、４４…内周側スクロール壁面、４５…シュラウド面、４６…ディフューザ面、４７，１４７…周方向当接面、４８，１４８…先端面、６，１０６…環状部材、６１…内周壁部、６３，１６３…外周側スクロール壁部、６７，１６７…周方向当接面、６８…先端面、８…インペラ、８１…ハブ、８２…ブレード、９…シャフト、１００…ベアリングハウジング、１３８…鋭角部。
【図１】
0005369198.tif 000002
【図２】
0005369198.tif 000003
【図３】
0005369198.tif 000004
【図４】
0005369198.tif 000005
【図５】
0005369198.tif 000006
【図６】
0005369198.tif 000007
【図７】
0005369198.tif 000008
【図８】
0005369198.tif 000009
【図９】
0005369198.tif 000010
【図１０】
0005369198.tif 000011
【図１１】
0005369198.tif 000012
【図１２】
0005369198.tif 000013